(57)【要約】【課題】  一方の基板側に複数の端子部が設けられている表示パネルに対するフレキシブル配線板の接続作業性の改善を図る。【解決手段】  一方の基板１２の例えば対向する２辺に端子部１２ａ，１２ｂを有する液晶パネル１０と、上記端子部の各々に接続されるフレキシブル配線板１００とを含む電気光学表示装置において、フレキシブル配線板１００は全体が１枚の基板からなり、一方の透明電極基板１２の裏面側に配置される幹配線板１１０と、幹配線板１１０の両端側の２箇所から同一方向に向けて引き出され各端子部１２ａ，１２ｂにそれぞれ接続される第１，第２の枝配線板１２０，１３０と、幹配線板１１０の所定箇所から液晶パネル１０の外側に向けて引き出されるコネクタ用配線板１５０とを一体に備えている。【選択図】  図４
2005292389.tif 000002
【特許請求の範囲】
【請求項１】
２枚の基板のうちの一方の基板の対向する２辺に端子部を有する表示パネルと、上記端子部の各々に接続されるフレキシブル配線板とを含む電気光学表示装置において、
上記フレキシブル配線板は上記一方の基板の裏面側に配置される幹配線板と、上記幹配線板の両端側の２箇所から同一方向に向けて引き出され上記各端子部にそれぞれ接続される第１，第２の枝配線板と、上記幹配線板の所定箇所から上記表示パネルの外側に向けて引き出されるコネクタ用配線板とを含み、上記幹配線板，上記各枝配線板および上記コネクタ用配線板が１枚のフレキシブル配線板により一体に形成され、上記第１，第２の枝配線板に含まれている電極部と所定の帯板部とが上記各端子部上にそれぞれ載置されていることを特徴とする電気光学表示装置。
【請求項２】
２枚の基板のうちの一方の基板の３辺に端子部を有する表示パネルと、上記端子部の各々に接続されるフレキシブル配線板とを含む電気光学表示装置において、
上記フレキシブル配線板は上記一方の基板の裏面側に配置される幹配線板と、上記幹配線板の両端側の２箇所から同一方向に向けて引き出され対向する２辺に設けられている上記各端子部にそれぞれ接続される第１，第２の枝配線板と、上記幹配線板の両端側の２箇所の間の所定の１箇所から上記同一方向に向けて引き出され残りの１辺に設けられている上記端子部に接続される第３の枝配線板と、上記幹配線板の所定箇所から上記表示パネルの外側に向けて引き出されるコネクタ用配線板とを含み、上記幹配線板，上記各枝配線板および上記コネクタ用配線板が１枚のフレキシブル配線板により一体に形成され、上記第１，第２の枝配線板に含まれている電極部と所定の帯板部とが上記各端子部上にそれぞれ載置されていることを特徴とする電気光学表示装置。
【請求項３】
上記第３の枝配線板は、上記コネクタ用配線板の一部分に形成された切り起こし片からなる請求項２に記載の電気光学表示装置。
【請求項４】
上記帯板部は上記端子部に固着されている請求項１ないし３のいずれか１項に記載の電気光学表示装置。
【発明の詳細な説明】
【技術分野】
【０００１】
本発明は表示パネルの端子部にフレキシブル配線板を接続してなる電気光学表示装置に関し、さらに詳しく言えば、一方の基板側の少なくとも対向する２辺に端子部が設けられている表示パネルに適用されるフレキシブル配線板に関するものである。
【背景技術】
【０００２】
液晶パネルはパネル面内の表示用電極から引き出された引出電極を有する端子部を備えている。その端子部には液晶パネルに駆動信号を与えるためのフレキシブル配線板が接続される。液晶パネルには端子部が１つである１方向取り出し型，端子部を２つ備える２方向取り出し型，端子部を３つ備える３方向取り出し型などがあるが、２方向取り出し型，３方向取り出し型のうちでその各端子部が一方の透明電極基板側のみに設けられる場合がある。その一例を図９に模式的に示す。
【０００３】
この例は特許文献１に記載されている２方向取り出し型についてのもので、図９（ａ）は平面図，（ｂ）は底面図，（ｃ）は側面図である。液晶パネル１０には液晶層を挟んで対向的に配置される２枚の透明電極基板、すなわち観察面側の透明電極基板１１と反観察面側（裏面側）の透明電極基板１２とが含まれるが、この例では反観察面側の透明電極基板１２の対向する２辺に端子部１２ａ，１２ｂが設けられており、その各々に表示データ処理用などのチップ部品（例えばＩＣのベアチップ）ＣＨが実装されている。
【０００４】
液晶パネル１０に駆動信号を与えるため、図９（ａ）に示すように各端子部１２ａ，１２ｂにフレキシブル配線板２０ａ，２０ｂの各一端が例えば異方性導電フィルム（ＡＣＦ）などを介して接続されるが、このままでは液晶パネル１０をディスプレイ機器に組み込む場合、フレキシブル配線板２０ａ，２０ｂの配線処理を個別的に行うことになり、その作業に手間がかかるばかりでなく配線スペースも必要となる、などの不都合が生ずる。
【０００５】
そこで、この従来例では図９（ｂ）に示すように透明電極基板１２の裏面側に液晶駆動回路やバックライト駆動回路などを含む制御回路基板２１を配置し、上記フレキシブル配線板２０ａ，２０ｂの各他端側を透明電極基板１２の裏面側に折り曲げて制御回路基板２１に接続し、これとは別にパネル外に引き出されるコネクタ用のフレキシブル配線板２０ｃを制御回路基板２１に接続するようにしている。
【０００６】
【特許文献１】特開２００２−２８９７６４号公報
【発明の開示】
【発明が解決しようとする課題】
【０００７】
上記従来例によれば、液晶パネル１０をディスプレイ機器に組み込む際にコネクタ用のフレキシブル配線板２０ｃをそのディスプレイ機器側に設けられているソケットなどに差し込めばよく、作業性が改善されるとともに配線スペースも小さくて済む。
【０００８】
しかしながら、パネルメーカ側ではフレキシブル配線板２０ａ，２０ｂについては接続箇所がそれぞれ２箇所，フレキシブル配線板２０ｃについては接続箇所が１箇所で合計５箇所において接続作業を行う必要がある。また、各フレキシブル配線板２０ａ〜２０ｃはそれぞれ個別的に作製されているため部品管理なども煩雑になる。
【０００９】
なお、図１０に示すように上記フレキシブル配線板２０ａ〜２０ｃを含む１枚のフレキシブル配線板から打ち抜かれたＴ字状のフレキシブル配線板２０を用いれば、接続箇所は２箇所で済み、また、部品管理も容易となる。
【００１０】
しかしながら、この場合にはフレキシブル配線板２０を上記透明電極基板１２の裏面側に配置し、フレキシブル配線板２０ａ，２０ｂの各一端を端子部１２ａ，１２ｂ側に折り曲げて接続することになるが、実際問題としてその接続しろはわずか（例えば２ｍｍ程度）であり、また、折り曲げ部には復元力が発生するため接続作業が困難となり実用的とは言えない。
【００１１】
したがって、本発明の課題は、一方の基板側に複数の端子部が設けられている表示パネルに対してフレキシブル配線板を接続してなる電気光学表示装置において、フレキシブル配線板の接続作業性の改善を図ることにある。
【課題を解決するための手段】
【００１２】
上記課題を解決するため、本願の請求項１に係る発明は、２枚の基板のうちの一方の基板の対向する２辺に端子部を有する表示パネルと、上記端子部の各々に接続されるフレキシブル配線板とを含む電気光学表示装置において、上記フレキシブル配線板は上記一方の基板の裏面側に配置される幹配線板と、上記幹配線板の両端側の２箇所から同一方向に向けて引き出され上記各端子部にそれぞれ接続される第１，第２の枝配線板と、上記幹配線板の所定箇所から上記表示パネルの外側に向けて引き出されるコネクタ用配線板とを含み、上記幹配線板，上記各枝配線板および上記コネクタ用配線板が１枚のフレキシブル配線板により一体に形成され、上記第１，第２の枝配線板に含まれている電極部と所定の帯板部とが上記各端子部上にそれぞれ載置されていることを特徴としている。
【００１３】
また、本願の請求項２に係る発明は、２枚の基板のうちの一方の基板の３辺に端子部を有する表示パネルと、上記端子部の各々に接続されるフレキシブル配線板とを含む電気光学表示装置において、上記フレキシブル配線板は上記一方の基板の裏面側に配置される幹配線板と、上記幹配線板の両端側の２箇所から同一方向に向けて引き出され対向する２辺に設けられている上記各端子部にそれぞれ接続される第１，第２の枝配線板と、上記幹配線板の両端側の２箇所の間の所定の１箇所から上記同一方向に向けて引き出され残りの１辺に設けられている上記端子部に接続される第３の枝配線板と、上記幹配線板の所定箇所から上記表示パネルの外側に向けて引き出されるコネクタ用配線板とを含み、上記幹配線板，上記各枝配線板および上記コネクタ用配線板が１枚のフレキシブル配線板により一体に形成され、上記第１，第２の枝配線板に含まれている電極部と所定の帯板部とが上記各端子部上にそれぞれ載置されていることを特徴としている。
【００１４】
上記請求項２に係る発明において、請求項３に記載されているように上記幹配線板の所定の１箇所から引き出される上記第３の枝配線板は、上記コネクタ用配線板の一部分に形成された切り起こし片からなることが好ましい。また、請求項３に記載されているように上記帯板部は上記端子部に固着されていることが好ましい。
【発明の効果】
【００１５】
本発明によれば、各端子部に対して各枝配線板を折り曲げることなくフラットな状態として接続することができるため、接続作業が容易に行えるとともに信頼性の高い接続が得られる。また、幹配線板および各枝配線板が一体に形成されているため部品管理も容易に行うことができる。
【発明を実施するための最良の形態】
【００１６】
次に、図１ないし図８により本発明の実施形態について説明するが、本発明はこれに限定されるものではない。図１ないし図４が本発明の第１実施形態であり、図５ないし図８が本発明の第２実施形態である。本発明に係る電気光学表示装置には液晶パネルとフレキシブル配線板とが含まれるが、液晶パネルについては先の図９で説明した従来例と実質的に変更を要しないため同じ参照符号を用いる。
【００１７】
第１実施形態は液晶パネルが２方向取り出し型の場合であり、図１（ａ）は液晶パネル１０にフレキシブル配線板を接続してパネルホルダ３０内に収納した状態を示す平面図，図１（ｂ）はその正面図，図１（ｃ）はその右側面図，図１（ｄ）は図１（ａ）のＡ−Ａ線断面図で、図２は図１（ａ）に対応する底面図である。図３は液晶パネル１０に接続されるフレキシブル配線板１００を示す平面図で、図４は液晶パネル１０にフレキシブル配線板１００を接続する状態を示す平面図である。
【００１８】
図１（ａ），（ｄ）に示すように、液晶パネル１０は図示しない液晶層を挟んで対向的に配置される観察面側の透明電極基板１１と反観察面側（裏面側）の透明電極基板１２とを備えているが、この場合、裏面側の透明電極基板１２側のみにその対向する２辺に端子部１２ａ，１２ｂが設けられている。
【００１９】
なお、この例においても上記従来例と同じく各端子部１２ａ，１２ｂに表示データ処理用などのチップ部品ＣＨが実装されているが、本発明においてチップ部品ＣＨの有無は任意である。また、図１（ｄ）に示すように液晶パネル１０はバックライトに含まれる導光板３１とともにパネルホルダ３０内に収納されているが、バックライトの有無も任意に選択されてよい。
【００２０】
図３を参照して、フレキシブル配線板１００はマザー的な大判サイズのフレキシブル配線板から打ち抜かれたもので、幹配線板１１０，第１，第２の枝配線板１２０，１３０およびコネクタ用配線板１５０を一体に備えている。
【００２１】
このうちの幹配線板１１０は、図２に示すように最終的にパネルホルダ３０の底面３０ａ側に配置されることからパネルホルダ３０の底面３０ａ内に収まる大きさに形成されている。幹配線板１１０の例えば点線で仕切られている部分が回路基板部１１１であり、図示しないが、この回路基板部１１１に液晶駆動部品やバックライト駆動部品を含む制御回路が設けられる。
【００２２】
第１および第２の枝配線板１２０，１３０は各端子部１２ａ，１２ｂに接続される枝配線板で、幹配線板１１０の両端側から同一方向に引き出されている。枝配線板１２０，１３０は左右対称形であるため、その一方の枝配線板１２０について説明し他方の枝配線板１３０についてはその参照符号を括弧内に記す。
【００２３】
枝配線板１２０（１３０）は、図２に示すように幹配線板１１０とともにパネルホルダ３０の底面３０ａに沿って配置される基端部１２１（１３１）と、基端部１２１（１３１）から外側に向けてほぼ直角に折り曲げられ図１（ｃ）に示すようにパネルホルダ３０の右側面３０ｂに沿って配置される第１屈曲部１２２（１３２）と、第１屈曲部１２２（１３２）からほぼ直角に折り曲げられ図１（ａ）に示すように端子部１２ａ（１２ｂ）の一部分に沿って配置される第１帯板部１２３（１３３）と、第１帯板部１２３（１３３）からさらに外側に向けてほぼ直角に折り曲げられ図１（ｂ），図２に示すようにパネルホルダ３０の正面側（背面側）の側面３０ｃ（３０ｄ）から底面３０ａかけて配置される第２屈曲部１２４（１３４）と、第２屈曲部１２４（１３４）からほぼ直角に折り曲げられ図２に示すようにパネルホルダ３０の底面３０ａに沿って配置される第２帯板部１２５（１３５）と、第２帯板部１２５（１３５）から内側に向けてほぼ直角に折り曲げられ図１（ａ），（ｂ）に示すようにパネルホルダ３０の正面側（背面側）の側面３０ｃ（３０ｄ）から端子部１２ａ（１２ｂ）にかけて配置される第３屈曲部１２６（１３６）とを備え、第３屈曲部１２６（１３６）の先端部に端子部１２ａ（１２ｂ）と接続される電極部１２７（１３７）が形成されている。
【００２４】
コネクタ用配線板１５０は幹配線板１１０のほぼ中央部分から枝配線板１２０，１３０と同一方向に引き出されパネルホルダ３０の外側にまで延びる長さを備えている。コネクタ用配線板１５０の先端にはコネクタ電極部１５１が形成されている。
【００２５】
次に、図４を併せて参照して液晶パネル１０にフレキシブル配線板１００を取り付ける手順の一例について説明する。まず、液晶パネル１０をパネルホルダ３０に入れる前の段階でフレキシブル配線板１００を液晶パネル１０に接続する。すなわち、フレキシブル配線板１００をフラットな状態として、その枝配線板１２０，１３０の各電極部１２７，１３７を端子部１２ａ，１２ｂの所定位置に位置決めしたのち、例えば異方性導電フィルムを介して接続する。この接続に伴って第１帯板部１２３，１３３が端子部１２ａ，１２ｂ上に配置される。
【００２６】
また、第１帯板部１２３，１３３は、端子部１２ａ，１２ｂと電極部１２７，１３７との接続を補強するために端子部１２ａ，１２ｂ上に固着されていることが好ましい。その固着手段としては、両面粘着テープや異方性導電フィルムでの固着を例示することができる。異方性導電フィルムでの固着は電極部１２７，１３７の接続と同じタイミングで行うことができるのでより好ましい。
【００２７】
接続が完了したら液晶パネル１０をパネルホルダ３０内に収納し、第２屈曲部１２４，１３４および第３屈曲部１２６，１３６をパネルホルダ３０の側面３０ｃ，３０ｄの上端縁に沿って折り曲げ線ａのところで山折りし、さらに上記側面３０ｃ，３０ｄの下端縁に沿って折り曲げ線ｂのところで山折りして第２帯板部１２５，１３５をパネルホルダ３０の底面３０ａに配置する。
【００２８】
次に、第１屈曲部１２２，１３２をパネルホルダ３０の右側面３０ｂの上端縁に沿って折り曲げ線ｃのところで山折りし、さらに上記右側面３０ｂの下端縁に沿って折り曲げ線ｄのところで山折りする。これにより、図２に示すように幹配線板１１０がパネルホルダ３０の底面３０ａに配置されるとともにコネクタ用配線板１５０がパネルホルダ３０の外側に引き出される。なお、上記の各折り曲げ線ａ〜ｄは仮想線であるが、あらかじめその部分に折り曲げやすくする加工を施してもよい。
【００２９】
次に、図５ないし図８により本発明の第２実施形態について説明する。この第２実施形態において液晶パネル１０は３つの端子部を備える３方向取り出し型である。図５（ａ）〜（ｄ）は図１（ａ）〜（ｄ）と、図６は図２と、図７は図３と、図８は図４とそれぞれ対応している。
【００３０】
この第２実施形態で上記第１実施形態と異なる点は、液晶パネル１０が３方向取り出し型であり、それに伴ってフレキシブル配線板１００に第３の枝配線板１４０が追加されている点であり、その他の構成については上記第１実施形態と同じであってよいためその説明は省略する。
【００３１】
図５（ａ）および図８の平面図に示すように、この第２実施形態において、液晶パネル１０は裏面側の透明電極基板１２側の３辺の各々に端子部１２ａ，１２ｂ，１２ｃを備えている。このうちの端子部１２ａ，１２ｂは上記第１実施形態と同じく対向する２辺に設けられており、端子部１２ｃは残りの２辺のうちのコネクタ用配線板１５０がパネル外に引き出される側の一方の辺に設けられている。端子部１２ｃにもチップ部品ＣＨが実装されているが、本発明はＣＯＧ型に限定されるものでないことは上述したとおりである。
【００３２】
図７を参照して、この第２実施形態において、フレキシブル配線板１００は端子部１２ａ用の第１の枝配線板１２０，端子部１２ｂ用の第２の枝配線板１３０およびコネクタ用配線板１５０に加えて端子部１２ｃ用の第３の枝配線板１４０を備えている。
【００３３】
第３の枝配線板１４０は幹配線板１１０から第１および第２の各枝配線板１２０，１３０と同じ方向に引き出され、その先端部には端子部１２ｃと接続される電極部１４１が形成されている。第３の枝配線板１４０は第１および第２の枝配線板１２０，１３０の間の任意の位置から引き出されてよいが、スペース的には図７に示すようにコネクタ用配線板１５０と重なる位置に設けられることが好ましい。
【００３４】
すなわち、第３の枝配線板１４０は端子部１２ｃとの位置関係からして他の枝配線板１２０，１３０よりも短くてよいため、コネクタ用配線板１５０の幹配線板１１０に対する基端部側にほぼコ字状（門型）の切り込み溝を入れて幹配線板１１０に連設する切り起こし片を形成し、その切り起こし片に第３の枝配線板１４０を割り当てることが好ましい。
【００３５】
図８を参照して、この第２実施形態においても上記第１実施形態と同じくフレキシブル配線板１００をフラットな状態として第１ないし第３の枝配線板１２０，１３０，１４０の各電極部１２７，１３７，１４１を端子部１２ａ，１２ｂ，１２ｃに接続してパネルホルダ３０内に収納する。
【００３６】
そして、上記第１実施形態で説明したように、第１および第２の枝配線板１２０，１３０を上記折り曲げ線ａ，ｂに沿って山折りしたのち、上記折り曲げ線ｃ，ｄに沿って山折りする際に第３の枝配線板１４０をともに山折りすることにより、図６に示すように幹配線板１１０がパネルホルダ３０の底面３０ａに配置されるとともにコネクタ用配線板１５０がパネルホルダ３０の外側に引き出される。
【００３７】
上記したように、液晶パネルがその一方の透明電極基板側のみに２つもしくは３つの端子部を備えている２方向取り出し型もしくは３方向取り出し型であるにしても、本発明によれば、それに接続されるフレキシブル配線板は１枚構成でしかもフラットな状態で各端子部に接続することが可能であるため、接続作業を容易に行えるとともに信頼性の高い接続状態を得ることができる。
【００３８】
なお、本発明は液晶表示装置に限定されるものではなく、有機ＥＬ表示装置やプラズマ表示装置などの電気光学表示装置にも適用することができる。
【図面の簡単な説明】
【００３９】
【図１】（ａ）本発明による液晶表示装置の第１実施形態を示す平面図，（ｂ）はその正面図，（ｃ）はその右側面図，（ｄ）は（ａ）のＡ−Ａ線断面図。
【図２】図１（ａ）に対応する底面図。
【図３】上記第１実施形態において用いられるフレキシブル配線板を示す平面図。
【図４】上記第１実施形態において液晶パネルに対するフレキシブル配線板の接続状態を示す平面図。
【図５】（ａ）本発明による液晶表示装置の第２実施形態を示す平面図，（ｂ）はその正面図，（ｃ）はその右側面図，（ｄ）は（ａ）のＢ−Ｂ線断面図。
【図６】図５（ａ）に対応する底面図。
【図７】上記第２実施形態において用いられるフレキシブル配線板を示す平面図。
【図８】上記第２実施形態において液晶パネルに対するフレキシブル配線板の接続状態を示す平面図。
【図９】（ａ）液晶表示装置の従来例を示す模式的な平面図，（ｂ）底面図，（ｃ）側面図。
【図１０】上記従来例におけるフレキシブル配線板の変形例を示す模式的な平面図。
【符号の説明】
【００４０】
１０  液晶パネル
１２ａ，１２ｂ，１２ｃ  端子部
３０  パネルホルダ
１００  フレキシブル配線板
１１０  幹配線板
１２０  第１の枝配線板
１３０  第２の枝配線板
１４０  第３の枝配線板
１５０  コネクタ用配線板
【図１】
2005292389.tif 000003
【図２】
2005292389.tif 000004
【図３】
2005292389.tif 000005
【図４】
2005292389.tif 000006
【図５】
2005292389.tif 000007
【図６】
2005292389.tif 000008
【図７】
2005292389.tif 000009
【図８】
2005292389.tif 000010
【図９】
2005292389.tif 000011
【図１０】
2005292389.tif 000012